(57)【要約】  【課題】  運転情報を点灯表示する複数種の発光素子の明るさの違いに対応して、光の透過度を調節することにより明るさのムラを抑えるようにした表示装置を提供する。  【解決手段】  光を透過する透過窓7eと、同透過窓7eの後方に配列された明るさが違う複数種の発光素子7bを備えてなる表示装置７において、前記発光素子7bの前方に、同発光素子7bの明るさを同等に視認できるように、光の透過度を調節するための印刷パターンを施したシート7dが設けられてなる構成にした。【選択図】  図１
2006039460.tif 000002
【特許請求の範囲】
【請求項１】
光を透過する透過窓と、同透過窓の後方に配列された明るさが違う複数種の発光素子とを備えてなる表示装置において、
前記発光素子の前方に、同発光素子の明るさを同等に視認できるように、光の透過度を調節するための印刷パターンを施したシートが設けられてなることを特徴とする表示装置。
【請求項２】
光を透過する透過窓と、同透過窓の後方に配列された明るさが違う複数種の発光素子とを備えてなる表示装置において、
前記透過窓に、前記発光素子の明るさを同等に視認できるように、光の透過度を調節するための印刷パターンが施されてなることを特徴とする表示装置。
【請求項３】
前記印刷パターンは、所定の径とピッチとでなるドットにより構成されてなることを特徴とする請求項１または請求項２に記載の表示装置。
【発明の詳細な説明】
【技術分野】
【０００１】
本発明は、空調機器等に使用される表示装置に関わり、より詳細には、明るさが違う複数種の発光素子を同等の明るさで視認できるようにした構造に関する。
【背景技術】
【０００２】
従来、発光素子の明るさのムラをなくしたＬＥＤ情報表示装置を提供するものとして、複数種の発光素子の配列にてなるＬＥＤ情報表示装置において、各発光素子の輝度劣化情報を格納する輝度劣化情報格納部を備え、輝度劣化情報格納部から読み出した情報に基づき、発光効率の高い発光素子の点灯回数を間引くことによりその明るさを抑えて、発光効率の低い発光素子との明るさの差を減少させるものが開示されていた（例えば、特許文献１参照。）。
【０００３】
しかしながら、上述したＬＥＤ情報表示装置においては、輝度劣化情報格納部を備え、輝度劣化情報格納部から読み出した情報に基づき、発光効率の高い発光素子の点灯回数を間引くことによってその明るさを抑えるようにするための構成が複雑になり、コスト的に不利になってしまうという問題点を有していた。
【０００４】
【特許文献１】特開平７−１０４７０１号公報（第１頁〜第１０頁、第１図〜第４図）
【発明の開示】
【発明が解決しようとする課題】
【０００５】
本発明は上記問題点に鑑み、明るさが違う複数種の発光素子を同等の明るさで視認できるようにした表示装置を提供することを目的とする。
【課題を解決するための手段】
【０００６】
本発明は上記課題を解決するため、光を透過する透過窓と、同透過窓の後方に配列された明るさが違う複数種の発光素子とを備えてなる表示装置において、
前記発光素子の前方に、同発光素子の明るさを同等に視認できるように、光の透過度を調節するための印刷パターンを施したシートが設けられてなる構成となっている。
【０００７】
また、光を透過する透過窓と、同透過窓の後方に配列された明るさが違う複数種の発光素子とを備えてなる表示装置において、
前記透過窓に、前記発光素子の明るさを同等に視認できるように、光の透過度を調節するための印刷パターンが施されてなる構成となっている。
【０００８】
更に、前記印刷パターンは、所定の径とピッチとでなるドットにより構成されている。
【発明の効果】
【０００９】
本発明によれば、明るさが違う複数種の発光素子を、コスト的に有利になる簡便な構成により、同等の明るさで視認できるようにすることによって誤認のおそれがないようにした表示装置を提供できる。
【発明を実施するための最良の形態】
【００１０】
以下、本発明の実施の形態を、添付図面に基づいた実施例として詳細に説明する。
図１は本発明による空気清浄機の表示装置を示す断面図であり、図２は本発明による空気清浄機の表示装置を示す分解斜視図であり、図３は本発明による表示装置の実施例１を示す要部説明図で、（Ａ）は印刷パターンを施したシートの一例を、（Ｂ）は他の例を夫々示し、図４は本発明による表示装置の実施例２を示す要部説明図で、（Ａ）は印刷パターンを施したシートの一例を、（Ｂ）は他の例を夫々示す。
【００１１】
本発明による表示装置は、空気清浄機の運転情報を点灯表示する表示装置として図１および図２で示すように、ベースと前面パネルと後部パネルとからなる本体の前面には吸込口１を形成し、上面後部には吹出口２を形成し、前記本体内は、中央部に流入孔3aを穿設した仕切板３により前後に区画され、区画された後部には、前記流入孔3aを臨ませてファンモータにより駆動される送風ファン６が設けられ、区画された前部には、前記吸込口１側から順次プレフィルタ４と、集塵／脱臭シート５と、紫外線ユニット８とが設けられ、これらの上方には、運転情報を点灯表示する複数種の発光素子7bを配列した表示基板7cと、同表示基板7cを収容する基板ケース7aと、シート7dとからなる表示装置７と、前記吸込口１を備えた前面パネルに設けられ、前記発光素子7bの光を透過する透過窓7eとを備えた構成となっている。
【００１２】
前記吸込口１から吸込まれた室内の空気は、前記プレフィルタ４により比較的粒径の粗い塵埃が除去され、続いて前記集塵／脱臭シート５により比較的粒径の細かい塵埃が除去されるとともに含有する臭気成分が吸収されるようになっている。
塵埃と臭気成分とが除去された空気は、引き続いて前記紫外線ユニット８に流入することになり、これを通過することにより紫外線の照射を受けて、含有する細菌あるいは雑菌等を死滅あるいは消滅させるようになっている。
【００１３】
前記紫外線ユニット８は、前面に複数の桟を備えた流入口8bを形成し、後面に複数の桟を備えた流出口8cを形成した金属性でなる方形状のケース8aと、同ケース8a内の側部に垂直に設けられた紫外線ランプ９と、同紫外線ランプ９と前記流入口8bおよび前記流出口8cとの間にのみ設けられ、左右面が開放されたセル10を多数連設した紫外線透過部材11とで構成されている。
【００１４】
前記紫外線ランプ９は、前記ケース8aの側部上下に設けられた正側電極と負側電極とで支承されるとともに、電源が供給されることにより、周囲に殺菌効果を有する２５４ｎｍ（ナノメートル）の紫外線を照射するようになっている。
【００１５】
そして、運転時における「強」「弱」「花粉」「切タイマ」などの運転情報が、前記透過窓7eを透過した前記発光素子7bによる点灯表示によって視認できるようになっており、視認する際、発光色によって明るさを同等に視認できない場合は運転情報を誤認してしまうおそれがあった。
【００１６】
前記発光素子7bは、例えば青色ＬＥＤは明るさの点で優れており、赤色ＬＥＤは青色ＬＥＤより明るさが劣り、また、黄色およびオレンジ色ＬＥＤは赤色ＬＥＤよりも明るさが劣っていて、明るいものほど特殊でコスト高になっている。
【００１７】
そのため、これらの発光素子7bを配列して併用する場合において、明るい青色ＬＥＤに合わせて、通常よりもコスト高につくられた黄色やオレンジ色ＬＥＤを選定する代わりに、前記発光素子7bの前方に、同発光素子7bの明るさを同等に視認できるように調節するための調節手段が設けられている。
【００１８】
前記調節手段は、前記シート7dまたは前記発光素子7bの光を透過する透過窓7eに、光の透過度を調節するために施された印刷パターンからなる構成になっている。
【００１９】
前記シート7dに上述した印刷パターンが施されることにより、配列された明るさが違う複数種の前記発光素子7bの明るさを同等に視認できるようになることから、運転情報を容易に、且つ正確に視認することができて誤認してしまうおそれがなくなる。
【実施例１】
【００２０】
次に、実施例１として示す図３（Ａ）および図３（Ｂ）に基づいて、前記発光素子7bの明るさを同等に視認できるように光の透過度を調節するため、前記シート7dに施された印刷パターンについて詳細に説明する。
【００２１】
なお、前記発光素子7bの明るさを同等に視認できるように光の透過度を調節するため、前記透過窓7eに上述した印刷パターンを施す場合については、この印刷パターンは前記シート7dに施される印刷パターンと同様の作用効果をなすので説明は省略する。
【００２２】
前記シート7dは、配列された明るさが違う複数種の前記発光素子7bの明るさを同等に視認できるようにするため、例えば明るい青色ＬＥＤに対応して、図３（Ｂ）で示す黒色部（塗りつぶし部）のように、直径０．３５ｍｍ×ピッチ０．８ｍｍでなるドット部（網点状の透過部）7d' 以外の部分をライトグレイで印刷する一方、例えば明るさで劣る黄色ＬＥＤに対応して、図３（Ａ）で示す黒色部（塗りつぶし部）のように、直径０．５ｍｍ×ピッチ１．２ｍｍでなるドット部（網点状の透過部）7d' 以外の部分をライトグレイで印刷して、前記ドット部（網点状の透過部）7d' において前記発光素子7bの光が透過可能な構成にする。
【００２３】
これによって、明るい青色ＬＥＤの光の透過度合いを抑えるのに対し、明るさで劣る黄色ＬＥＤの光は透過しやすくなって、明るさを同等に視認できるようになる。
なお、上述した印刷パターンは、前記ドット部7d' 以外において前記発光素子7bの光が透過可能な構成にしてもよく、また、ライトグレイ以外の色による印刷パターンにしてもよい。
【００２４】
通常、例えば空気清浄機においては、表示装置用の発光素子部の成形品に静電気からの保護の目的で透明な保護用のシートが貼着されており、同シートには、通常接着層を隠す目的で印刷パターンを施しているものが一般的である。
【００２５】
そこで、本発明においては、通常使用されている保護用のシートに、上述したように、前記発光素子7bの明るさを同等に視認できる機能をもたせるための印刷パターンを施すようにした点が特徴になっており、これによって個別に専用部材からなるシートを用いて明るさを同等に視認できるようにしたり、また、制御回路によって明るさを同等に視認できるようにするといった複雑な構成にはしていないという点で有利である。
【実施例２】
【００２６】
また、実施例２の一例として図４（Ａ）で示すように、上述したドット部（網点状の透過部）7d' は、前記発光素子7bに対向する位置では光の透過量が少なくなるような印刷パターンにし、前記発光素子7bに対向する位置から離れるのに従って光の透過量が多く（透過しやすく）なるような印刷パターンにしてもよい。
【００２７】
これによって、上記したドット部（網点状の透過部）7d' において、光の透過が均一に行われるようになり、明るさを同等の明るさとして更に効率よく視認できるようになる。
【００２８】
なお、上記したドット部（網点状の透過部）7d' を、実施例２の他の例として図４（Ｂ）で示すように縦または横方向に平行に延びる帯形状のパターンによって印刷するようにしてもよい。
【００２９】
この場合も同様に、上記したのと同様に、前記発光素子7bに対向する位置では光の透過量が少なくなるような印刷パターンにし、前記発光素子7bに対向する位置から離れるのに従って光の透過量が多く（透過しやすく）なるような印刷パターンにすればよい。
【図面の簡単な説明】
【００３０】
【図１】本発明による空気清浄機の表示装置を示す断面図である。
【図２】本発明による空気清浄機の表示装置を示す分解斜視図である。
【図３】本発明による表示装置の実施例１を示す要部説明図で、（Ａ）は印刷パターンを施したシートの一例を示し、（Ｂ）は他の例を示す。
【図４】本発明による表示装置の実施例２を示す要部説明図で、（Ａ）は印刷パターンを施したシートの一例を示し、（Ｂ）は他の例を示す。
【符号の説明】
【００３１】
１  吸込口
２  吹出口
３  仕切板
3a  流入孔
４  プレフィルタ
５  集塵／脱臭シート
６  送風ファン
７  表示装置
7a  基板ケース
7b  発光素子
7c  表示基板
7d  シート
7e  透過窓
7d' ドット部（網点状の透過部）
８  紫外線ユニット
8a  ケース
8b  流入口
8c  流出口
９  紫外線ランプ
10  セル
11  紫外線透過部材
【図１】
2006039460.tif 000003
【図２】
2006039460.tif 000004
【図３】
2006039460.tif 000005
【図４】
2006039460.tif 000006